(57)【特許請求の範囲】
【請求項１】
柱と大梁とからなる建物ユニットを複数並べて構築された建物に適用され、
床下地材の上に所定の長方形状をなす床材が床仕上材として複数並べられており、
前記床材には、端面から外側に向けて突出した実部が、前記床材の４つの辺のうち隣接する長辺及び短辺に設けられているとともに、端面から内側に向けて凹んだ溝部が、前記実部とは別の長辺及び短辺に設けられており、
隣り合う前記床材が、前記実部が前記溝部に挿し入れられた状態で矧ぎ合わされている建物の床構造であって、
複数の前記床材には、長辺同士で矧ぎ合わされた複数の第１床材と、前記第１床材の長辺とは交差する方向に長辺が延びている第２床材とが含まれており、
前記第２床材は、その長辺が前記複数の第１床材の短辺とそれぞれ矧ぎ合わされており、
前記第１床材の長辺は、隣り合う前記建物ユニットの間のユニット境界線と直交する方向に延びており、
前記ユニット境界線を跨ぐ位置には、前記床材として長辺が前記ユニット境界線と平行に延びる跨ぎ床材が設けられており、
前記跨ぎ床材は、前記第２床材を挟んで各第１床材の反対側に配置されていることを特徴とする建物の床構造。
【請求項２】
柱と大梁とからなる建物ユニットを複数並べて構築された建物に適用され、
床下地材の上に所定の長方形状をなす床材が床仕上材として複数並べられており、
前記床材には、端面から外側に向けて突出した実部が、前記床材の４つの辺のうち隣接する長辺及び短辺に設けられているとともに、端面から内側に向けて凹んだ溝部が、前記実部とは別の長辺及び短辺に設けられており、
隣り合う前記床材が、前記実部が前記溝部に挿し入れられた状態で矧ぎ合わされている建物の床構造であって、
複数の前記床材には、長辺同士で矧ぎ合わされた複数の第１床材と、前記第１床材の長辺とは交差する方向に長辺が延びている第２床材とが含まれており、
前記第２床材は、その長辺が前記複数の第１床材の短辺とそれぞれ矧ぎ合わされており、
前記第１床材の長辺は、隣り合う前記建物ユニットの間のユニット境界線と直交する方向に延びており、
前記ユニット境界線を跨ぐ位置には、前記床材として長辺が前記ユニット境界線と平行に延びる跨ぎ床材が設けられており、
前記跨ぎ床材と、該跨ぎ床材の隣の床材との間には、それら床材の間の隙間を覆い隠す床見切り材が設けられていることを特徴とする建物の床構造。
【請求項３】
床下地材の上に所定の長方形状をなす床材が床仕上材として複数並べられており、
前記床材には、端面から外側に向けて突出した実部が、前記床材の４つの辺のうち隣接する長辺及び短辺に設けられているとともに、端面から内側に向けて凹んだ溝部が、前記実部とは別の長辺及び短辺に設けられており、
隣り合う前記床材が、前記実部が前記溝部に挿し入れられた状態で矧ぎ合わされている建物の床構造であって、
複数の前記床材には、長辺同士で矧ぎ合わされた複数の第１床材と、前記第１床材の長辺とは交差する方向に長辺が延びている第２床材とが含まれており、
前記第２床材は、その長辺が前記複数の第１床材の短辺とそれぞれ矧ぎ合わされているとともに、前記複数の第１床材の並び方向に沿って複数並べられ、
それら第２床材は短辺同士で矧ぎ合わされており、
前記第１床材の並び方向において、各第２床材の短辺の実部が突出している向きは、各第１床材の長辺の実部が突出している向きとは反対向きとされていることを特徴とする建物の床構造。
【請求項４】
建物の外壁部において床面から上方に延びるように設けられた開口部と、
前記開口部に取り付けられているサッシ枠と、
を備えている建物に適用され、
床下地材の上に所定の長方形状をなす床材が床仕上材として複数並べられており、
前記床材には、端面から外側に向けて突出した実部が、前記床材の４つの辺のうち隣接する長辺及び短辺に設けられているとともに、端面から内側に向けて凹んだ溝部が、前記実部とは別の長辺及び短辺に設けられており、
隣り合う前記床材が、前記実部が前記溝部に挿し入れられた状態で矧ぎ合わされている建物の床構造であって、
複数の前記床材には、長辺同士で矧ぎ合わされた複数の第１床材と、前記第１床材の長辺とは交差する方向に長辺が延びている第２床材とが含まれており、
前記第２床材は、その長辺が前記複数の第１床材の短辺とそれぞれ矧ぎ合わされており、
前記複数の第１床材は、長辺が前記サッシ枠の下枠部と平行に延びており、それら第１床材のうち最も前記開口部側に配置され且つ該開口部に隣接する第１床材は、長辺の溝部側が前記サッシ枠の下側に入り込んだ状態で設けられていることを特徴とする建物の床構造。
【請求項５】
請求項１乃至４のいずれか１項に記載の建物の床構造に適用される床材の設置方法であって、
前記複数の第１床材を、長辺同士で矧ぎ合わせ且つ短辺の実部が一列に並ぶように向きを揃えて、前記床下地材の上に設置する第１工程と、
その後、前記第２床材を、その長辺の溝部と各第１床材の短辺の実部とが嵌合するように、それら第１床材と矧ぎ合わせながら前記床下地材の上に設置する第２工程と、
を有することを特徴とする床材の設置方法。
【発明の詳細な説明】
【技術分野】
【０００１】
本発明は、建物の床構造及び床材の設置方法に関するものである。
【背景技術】
【０００２】
住宅等の建物においては、屋内空間の床部がフローリング仕上げとされていることがある。フローリング仕上げの床部においては、床下地材の上に平面視略長方形状のフローリング材が複数並べられている。フローリング材において、４つの辺のうち隣接する２つの辺に実部が設けられているとともに、他の２つの辺に溝部が設けられている場合、隣り合うフローリング材は、実部が溝部に挿し入れられた状態で矧ぎ合わされている。フローリング材の配置としては、隣り合うフローリングが長手方向にずれた状態で長辺同士で矧ぎ合わされている所謂ずらし張りがある（例えば特許文献１）。
【先行技術文献】
【特許文献】
【０００３】
【特許文献１】特開２００８−８１９４７号公報
【発明の概要】
【発明が解決しようとする課題】
【０００４】
しかしながら、床部の周縁においては複数のフローリング材の短辺を一列に並べる必要があるため、ずらし張りとされた複数のフローリング材については、長手方向の中間位置に切断することになる。つまり、フローリング材において一対の短辺のうち一方側の短辺を切り落とすことになる。このため、多数のフローリング材が並べられている場合には、短辺を切り落とす作業の負担が大きくなると考えられる。
【０００５】
本発明は、床下地材に対して複数の床材を取り付ける作業を容易化することができる建物の床構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の床構造は、床下地材の上に所定の長方形状をなす床材が床仕上材として複数並べられており、前記床材には、端面から外側に向けて突出した実部が、前記床材の４つの辺のうち隣接する長辺及び短辺に設けられているとともに、端面から内側に向けて凹んだ溝部が、前記実部とは別の長辺及び短辺に設けられており、隣り合う前記床材が、前記実部が前記溝部に挿し入れられた状態で矧ぎ合わされている建物の床構造であって、複数の前記床材には、長辺同士で矧ぎ合わされた複数の第１床材と、前記第１床材の長辺とは交差する方向に長辺が延びている第２床材とが含まれており、前記第２床材は、その長辺が前記複数の第１床材の短辺とそれぞれ矧ぎ合わされていることを特徴とする。
【０００８】
第１の発明によれば、複数の第１床材が長辺同士で矧ぎ合わされている構成において、第２床材の長辺が各第１床材の短辺に沿って延びているため、床部の周縁と各第１床材との間に第２床材を配置できる。これにより、床部の周縁に多数の第１床材の短辺が並ぶということを回避できる。この場合、仮に第２床材の幅寸法を調整するためにその第２床材の一方の長辺を切り落とすことになっても、切断作業を要する第２床材の数は、第１床材の長さ寸法を調整するために切断作業を要する第１床材の数に比べて少ないため、床材切断の作業負担を低減できる。したがって、床下地材に対して複数の床材を取り付ける作業を容易化することができる。
【０００９】
第２の発明では、前記複数の第１床材は、その短辺の実部が一列に並ぶように向きを揃えて配置されており、前記第２床材として、長辺の溝部により前記第１床材の短辺の実部に対して矧ぎ合わされた実側床材が設けられている。
【００１０】
床部の周縁に床材の実部側が配置される場合、床材の仕上面の長さ寸法や幅寸法を調整する必要がなくても、実部を切断する必要が生じる場合がある。この場合、第１床材の短辺の実部を切断することになると、その作業負担が大きくなってしまう。これに対して、第２の発明によれば、各第１床材の短辺の実部が実側床材の長辺の溝部に対してまとめて嵌合した状態とされているため、床部の周縁に第１床材の短辺の実部が多数並ぶということを回避できる。この場合、仮に実側床材の長辺の実部を切断する必要が生じても、切断作業を要する実側床材の数は、第１床材の短辺の実部を切断する場合に切断を要する第１床材の数に比べて少ないため、実部切断の作業負担を低減できる。
【００１１】
第３の発明では、前記第２床材として、長辺の実部により前記第１床材の短辺の溝部に対して矧ぎ合わされた溝側床材が設けられている。
【００１２】
第３の発明によれば、第１床材の長辺方向において、一方に実側床材が設けられているとともに他方に溝側床材が設けられており、さらに、それら実側床材及び溝側床材はいずれも第２床材とされているため、第１床材の取り付け方を、その短辺の実部が溝側床材側に配置されるように変更しても、それに合わせて実側床材と溝側床材との位置を入れ替えることができる。ここで、隣り合う床材については、先付けした一方の床材の実部に他方の床材の溝部を嵌合させながら、他方の床材を後付けするという取り付け順があるが、例えば開口部のサッシ枠側から順に取り付けるという第１床材の取り付け順について制約があっても、第１床材の取り付け順に合わせて実側床材と溝側床材との位置を入れ替えれば、実側床材及び溝側床材による第２床材のレイアウトを変更せずに保持できる。したがって、第１床材の取り付け順の制約に関係なく、第１床材及び第２床材のレイアウトを設定できる。
【００１３】
第４の発明では、柱と大梁とからなる建物ユニットを複数並べて構築された建物に適用され、前記第１床材の長辺は、隣り合う前記建物ユニットの間のユニット境界線と直交する方向に延びており、前記ユニット境界線を跨ぐ位置には、前記床材として長辺が前記ユニット境界線と平行に延びる跨ぎ床材が設けられている。
【００１４】
建物ユニットについては、建物ユニット製造工場にて床材が床下地材にあらかじめ取り付けられている場合でも、跨ぎ床材は、建築現場にて建物ユニットが設置された後に、隣り合う建物ユニットに架け渡すようにして取り付けざるを得ない。
【００１５】
そこで、第４の発明によれば、跨ぎ床材の長辺がユニット境界線と平行に延びているため、跨ぎ床材の長辺がユニット境界線と直交している場合に比べて、跨ぎ位置に配置される床材の数を少なくできる。しかも、第１床材の短辺が第２床材の長辺に合わせて並べられているため、一部の第１床材が跨ぎ位置に存在するということがない。したがって、各第１床材を建物ユニット製造工場において建物ユニットにあらかじめ取り付けておくことが可能となり、建築現場にて床材を取り付ける作業工数を低減できる。
【００１６】
第５の発明では、前記跨ぎ床材は、前記第２床材を挟んで各第１床材の反対側に配置されている。
【００１７】
第５の発明によれば、第１床材に加えて第２床材も、工場において建物ユニットにあらかじめ取り付けておくことが可能となる。この場合、第２床材が第１床材よりも建物ユニットの外周側に存在するため、建物ユニットを工場から施工現場に運搬する際などに、第２床材により第１床材を保護することができる。しかも、第２床材が破損した場合には、その第２床材だけを取り替えれば済むため、施工現場での作業負担が大きくなることを回避できる。なお、第１床材が破損した場合には、第１床材を取り替えるためにその第１床材の実側に配置されている他の第１床材も取り外す必要があり、施工現場での作業負担が大きくなってしまう。
【００１８】
第６の発明では、前記跨ぎ床材と、該跨ぎ床材の隣の床材との間には、それら床材の間の隙間を覆い隠す床見切り材が設けられている。
【００１９】
第６の発明によれば、工場にて床材をあらかじめ建物ユニットに取り付けておくことで、施工現場での作業負担を低減できる構成において、仮に工場先付けしておいて床材と跨ぎ床材との間に隙間が生じても、その隙間を床見切り材により覆い隠すことができる。
【００２０】
なお、跨ぎ床材の隣の床材の大きさ及び形状は、前記跨ぎ床材の大きさ及び形状に合わせて定められていることが好ましい。この構成によれば、跨ぎ床材の取り付け場所を跨ぎ床材の大きさ及び形状に合わせて確保をしておくことができるため、跨ぎ床材を切断するなどの加工作業を建築現場にて行う必要がない。したがって、跨ぎ床材の取り付けに際して、作業負担をより一層低減できる。
【００２１】
第７の発明では、前記第２床材は、前記複数の第１床材の並び方向に沿って複数並べられ、それら第２床材は短辺同士で矧ぎ合わされており、前記第１床材の並び方向において、各第２床材の短辺の実部が突出している向きは、各第１床材の長辺の実部が突出している向きとは反対向きとされている。
【００２２】
第７の発明によれば、各第１床材及び各第２床材のうち一方を取り付けた後に、他方を取り付ける場合、一方の取り付け列の取り付け終わり側が他方の取り付け列の取り付け始め側となる。このため、第１床材と第２床材とを連続して取り付けることが容易となり、床材の取り付け作業の効率を高めることができる。
【００２３】
第８の発明では、建物の外壁部において床面から上方に延びるように設けられた開口部と、前記開口部に取り付けられているサッシ枠と、を備えている建物に適用され、前記複数の第１床材は、長辺が前記サッシ枠の下枠部と平行に延びており、それら第１床材のうち最も前記開口部側に配置され且つ該開口部に隣接する第１床材は、長辺の溝部側が前記サッシ枠の下側に入り込んだ状態で設けられている。
【００２４】
第８の発明によれば、第１床材をサッシ枠の下枠部の下側に挿し入れる際に、第１床材の実部を切断する必要がない。このため、開口部に隣接する第１床材を取り付ける際の作業負担を低減できる。しかも、第１床材の長辺がサッシ枠と平行に延びているため、第１床材の短辺がサッシ枠と平行に延びている場合に比べて、サッシ枠の下側に挿し入れる第１床材の数を少なくできる。これにより、サッシ枠に隣接する部分に第１床材を取り付ける際の作業負担を低減できる。
【００２５】
第９の発明では、前記第２床材は、前記第１床材と壁体との間に配置されている。
【００２６】
第９の発明によれば、壁体に隣接する位置に、壁体に沿って長辺が延びている第２床材が配置されているため、壁体に沿って短辺が延びている第１床材が配置されている場合に比べて、切断を必要とする床材の数を少なくできる。これにより、床材切断の作業負担を低減できる。
【００２７】
第１０の発明の床材の設置方法は、第１乃至９の発明のいずれか１項に記載の建物の床構造に適用される床材の設置方法であって、前記複数の第１床材を、長辺同士で矧ぎ合わせ且つ短辺の実部が一列に並ぶように向きを揃えて、前記床下地材の上に設置する第１工程と、その後、前記第２床材を、その長辺の溝部と各第１床材の短辺の実部とが嵌合するように、それら第１床材と矧ぎ合わせながら前記床下地材の上に設置する第２工程と、を有することを特徴とする。
【００２８】
第１０の発明によれば、複数の第１床材を取り付けた後、それら第１床材の短辺の実部に対して第２床材の溝部をまとめて嵌合させることができる。これにより、複数の第１床材の短辺と第２床材の長辺とを矧ぎ合わせる作業を容易化することができる。
【図面の簡単な説明】
【００２９】
【図１】建物の間取りを示す平面図。
【図２】建物ユニットの構成を示す斜視図。
【図３】フローリング材の構成を示す図。
【図４】図１のＡ−Ａ線断面図。
【図５】図１のＢ−Ｂ線断面図。
【図６】図１のＣ−Ｃ線断面図。
【図７】図１のＤ−Ｄ線断面図。
【図８】キッチンと廊下との境界部付近の床構造を示す図。
【図９】別の建物の間取りを示す平面図。
【図１０】別の建物の間取りを示す平面図。
【発明を実施するための形態】
【００３０】
以下、本発明を具体化した一実施形態を図面に基づいて説明する。本実施形態では、本発明の建物の床構造を、鉄骨ラーメンユニット構法により構築されたユニット式建物において具体化している。図１は建物１０の間取りを示す平面図である。
【００３１】
図１に示すように、建物１０は住戸を複数有する集合住宅とされている。建物１０においては、例えば第１住戸１１ａ及び第２住戸１１ｂが横並びに配置されている。それら住戸１１ａ，１１ｂの境界部には戸境壁１２が設けられており、その戸境壁１２により住戸１１ａ，１１ｂの各住戸内空間が仕切られている。なお、建物１０は、仮設住宅等の仮設建物として使用されるのに適したものとなっている。
【００３２】
第１住戸１１ａ及び第２住戸１１ｂは、床がフローリング仕上げ（板張り）とされたフローリング空間１５と、床がフローリング仕上げではない非フローリング空間１６とを有している。フローリング空間１５は、洋室１５Ａ、キッチン１５Ｂ、廊下１５Ｃ、脱衣室１５Ｄ、トイレ１５Ｅといった複数の空間部を有しており、非フローリング空間１６には、和室１６Ａ、玄関１６Ｂ、浴室１６Ｃといった複数の空間部を有している。
【００３３】
住戸１１ａ，１１ｂのそれぞれには、洋室１５Ａや和室１６Ａといった空間部を仕切る間仕切壁１７が設けられており、間仕切壁１７には、隣接する空間部を行き来可能とする出入口１８が設けられている。
【００３４】
住戸１１ａ，１１ｂの各洋室１５Ａにおいて、外壁１９には開口部としての掃き出し窓１９ａが設けられている。掃き出し窓１９ａは、洋室１５Ａの床部から上方に向けて延びており、屋外空間への人の出入りが可能となっている。
【００３５】
第１住戸１１ａと第２住戸１１ｂとは、それら住戸１１ａ，１１ｂの境界線を軸線として互いに線対称に配置された間取りを有している。例えば、住戸１１ａ，１１ｂのいずれにおいても、戸境壁１２の隣には洋室１５Ａやキッチン１５Ｂといったフローリング空間１５が配置されており、和室１６Ａや浴室１６Ｃといった非フローリング空間１６は戸境壁１２から離間した位置に配置されている。この場合、第１住戸１１ａ及び第２住戸１１ｂの各洋室１５Ａ及びキッチン１５Ｂは、戸境壁１２を挟んで隣接している。
【００３６】
ちなみに、各住戸１１ａ，１１ｂのキッチン１５Ｂには、給水用の水栓及び流し台といった給水設備がそれぞれ設けられており、住戸１１ａ，１１ｂの間取りが線対称とされていることで、戸境壁１２を挟んで両側の各給水設備を集約して配置することが可能となっている。この場合、各住戸１１ａ，１１ｂの給水設備と水道本管等の給水本管とを接続する水配管の設置に関して好都合となる。また、戸境壁１２を挟んで両側の対称位置に水栓を設置することが可能となるため、各住戸１１ａ，１１ｂの間取りや水回り設備の設置等についての設計を行う際にその設計工数を削減できる点で有利となり、例えば設計から施工完了までの工期を短縮したい場合等に好都合となる。この場合、隣り合う住戸１１ａ，１１ｂのうち一方を設計すれば、他方はそれを流用すればよいことになる。
【００３７】
建物１０は複数の建物ユニット２０が連結されることで構築されている。本実施形態では、建物１０において４つの建物ユニット２０が横並びに配置されており、その並び方向において一端側の２つの建物ユニット２０により第１住戸１１ａが構成され、他端側の２つの建物ユニット２０により第２住戸１１ｂが構成されている。なお、隣り合う建物ユニット２０の間のユニット境界線をドッキングラインＤＬとしている。
【００３８】
第１住戸１１ａのフローリング空間１５のうち廊下１５Ｃ及びトイレ１５Ｅは、第１住戸１１ａを構成する２つの建物ユニット２０の間のドッキングラインＤＬを跨いだ状態となっている。これは、第２住戸１１ｂについても同様である。また、戸境壁１２は、第１住戸１１ａと第２住戸１１ｂとの間のドッキングラインＤＬを壁厚み方向に跨いだ状態で、そのドッキングラインＤＬに沿って延びている。
【００３９】
建物ユニット２０の構成について、図２を参照しつつ説明する。図２は建物ユニット２０の構成を示す斜視図である。
【００４０】
図２に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００４１】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。
【００４２】
建物ユニット２０において、屋外側及び戸境壁１２側の側面部には壁体が設けられており、その壁体は柱２１や床大梁２３、天井大梁２２に取り付けられている。戸境壁１２は、隣り合う建物ユニット２０の各壁体により構成されており、それら壁体は戸境壁１２において所定間隔を隔てて対向する一対の壁体となっている。
【００４３】
次に、第１住戸１１ａにおけるフローリング空間１５の床構成について、図１、図３、図４を参照しつつ説明する。図３はフローリング材３３の構成を示す図、図４は図１のＡ−Ａ線断面図である。なお、図３においては、（ａ）にフローリング材３３の平面図を示し、（ｂ）にフローリング材３３の側面図を示す。図４においては床小梁２６の図示を省略している。
【００４４】
図４に示すように、フローリング空間１５の床部３１は、床大梁２３の上方に設けられた床下地材３２と、その床下地材３２の上方に設けられた床材としてのフローリング材３３とを有している。床下地材３２は合板やパーティクルボード等により形成されており、根太３５を挟んで床大梁２３及び床小梁２６の上に載置されている。床下地材３２は、ビス等により根太３５を介して床大梁２３に対して固定されている。床下地材３２の下側には床断熱材３４が設けられている。床断熱材３４は、硬質ウレタンフォームなどの発泡系断熱材により形成されており、床下地材３２の下面に沿って延びている。
【００４５】
なお、床下地材３２は、建物ユニット２０ごとに設けられたユニット下地材３２ａと、各建物ユニット２０のユニット下地材３２ａ同士を繋ぐ繋ぎ下地材３２ｂとを含んで構成されており、繋ぎ下地材３２ｂは、ドッキングラインＤＬを挟んで隣り合う床大梁２３に架け渡された状態となっている。また、床断熱材３４は、建物ユニット２０ごとに設けられたユニット断熱材３４ａと、各建物ユニット２０のユニット断熱材３４ａ同士を繋ぐ繋ぎ断熱材３４ｂとを含んで構成されており、繋ぎ断熱材３４ｂは、繋ぎ下地材３２ｂと同様に床大梁２３に架け渡された状態となっている。
【００４６】
フローリング材３３は、床下地材３２の上に載置されており、床下地材３２の上面に沿って複数並べられている。フローリング材３３は木質系材料等により板状に形成されており、釘３６等により床下地材３２に対して固定されている。
【００４７】
隣り合うフローリング材３３は、本実矧ぎにより互いに矧ぎ合わされている。一方のフローリング材３３には、端面から外側に突出した雄実としての実部４１が設けられているとともに、他方のフローリング材３３には、端面から内側に凹んだ雌実としての溝部４２が設けられ、実部４１が溝部４２に挿し入れられている。この場合、実部４１と溝部４２とは嵌合しており、それによってフローリング材３３同士が接合されている（張り合わされている）。また、実部４１及び溝部４２は、各フローリング材３３において厚み方向の中間位置に配置されており、それら実部４１及び溝部４２により矧ぎ合わされたフローリング材３３の各仕上面は、同一平面を形成している。
【００４８】
なお、本実施形態においては、フローリング材３３同士の矧ぎ合わせに、木質系材料の繊維方向を揃えた状態でのフローリング材３３同士の接合に加えて、繊維方向を揃えていない状態でのフローリング材３３同士の接合を含んでいる。
【００４９】
フローリング材３３の取り付け手順について簡単に説明すると、まず、隣り合うフローリング材３３のうち一方のフローリング材３３を床下地材３２の上に載置し、釘３６等により固定する。そして、他方のフローリング材３３を、そのフローリング材３３の溝部４２と固定済みのフローリング材３３の実部４１とを嵌合させつつ床下地材３２の上に載置し、釘３６等により固定する。つまり、隣り合うフローリング材３３のうち、後から取り付ける方のフローリング材３３は、先に取り付けたフローリング材３３の実部４１に対して矧ぎ合わせを行う。
【００５０】
なお、釘３６は実部４１の付け根に打ち込まれており、フローリング材３３同士が矧ぎ合わされることで床面に露出しないようになっている。
【００５１】
図３に示すように、フローリング材３３は平面視略長方形状とされている。フローリング材３３においては、フローリング材３３の４つの辺のうち隣接する長辺及び短辺に実部４１が設けられているとともに、実部４１とは別の長辺及び短辺に溝部４２が設けられている。この場合、一対の長辺のうち一方に実部４１があって他方に溝部４２があり、一対の短辺のうち一方に実部４１があって他方に溝部４２があることになる。長辺の実部４１を実部４１ａ、短辺の実部４１を実部４１ｂ、長辺の溝部４２を溝部４２ａ、短辺の溝部４２を溝部４２ｂとして説明すると、長辺の実部４１ａ及び溝部４２ａは、長辺に沿ってその長辺の略全体において連続して延びている。また、短辺の実部４１ｂ及び溝部４２ｂは、短辺に沿ってその短辺の略全体において連続して延びている。
【００５２】
なお、実部４１ａ，４１ｂ及び溝部４２ａ，４２ｂは、隣り合うフローリング材３３について互いに嵌合可能であれば、長辺及び短辺に沿って断続的に複数設けられていてもよい。
【００５３】
図１の説明に戻り、フローリング空間１５において複数のフローリング材３３には、ドッキングラインＤＬと直交する方向に延びる第１床材５１と、ドッキングラインＤＬと平行に延び且つ第１床材５１に矧ぎ合わされている第２床材５２と、ドッキングラインＤＬと平行に延び且つ第１床材５１とは矧ぎ合わされていない第３床材５３とが含まれている。これら床材５１〜５３は、フローリング空間１５の大きさや形状などに合わせて配置されており、洋室１５Ａ及びキッチン１５Ｂにおいては第１床材５１が主に配置されており、廊下１５Ｃ、脱衣室１５Ｄ及びトイレ１５Ｅにおいては第３床材５３が主に配置されている。
【００５４】
床材５１〜５３の配置はフローリング材３３の割り付けとも称し、その割り付けにより床材５１〜５３の取り付け順などが定められる。なお、第１住戸１１ａにおいてフローリング材３３は、フローリング材３３同士の境界部がＴ字状になるように配置されている。つまり、第１床材５１同士の境界部と第２床材５２同士の境界部とが同一線上に並ばないように配置されている。この場合、フローリング材３３同士の境界部が十字状になっている場合に比べて、つまり、第１床材５１同士の境界部と第２床材５２同士の境界部とが同一線上に並んでいる場合に比べて、フローリング材３３同士の境界部にゴミや埃が溜まりにくくなっている。
【００５５】
なお、図１においては、空間部ごとのフローリング材３３の取り付け順を数字で図示している。また、フローリング材３３における実部４１ａ，４１ｂの位置を「△」にて示すとともに、その「△」の向きにより実部４１の突出方向を示している。
【００５６】
ここでは、洋室１５Ａにおけるフローリング材３３の割り付けについて、図１、図５、図６を参照しつつ説明する。図５は図１のＢ−Ｂ線断面図、図６は図１のＣ−Ｃ線断面図である。なお、図５、図６においては、床大梁２３、床小梁２６及び床断熱材３４の図示を省略している。
【００５７】
図１に示すように、洋室１５Ａには床材５１〜５３のうち第１床材５１及び第２床材５２が設置されている。洋室１５Ａにおいては、複数の第１床材５１が長辺同士で矧ぎ合わされた状態で並べられており、その並び方向はドッキングラインＤＬと平行に延びている。この場合、隣り合う第１床材５１においては、一方の第１床材５１の長辺の実部４１ａと、他方の第１床材５１の長辺の溝部４２ａと嵌合している。各第１床材５１は、それぞれの長さ寸法が同じとされた定尺材であり、第１床材５１の並び方向において、各第１床材５１の短辺の実部４１ｂが一列に並べられているとともに、短辺の溝部４２ｂも一列に並べられている。なお、第１床材５１の配置方式は定尺張りに含まれる。
【００５８】
洋室１５Ａには複数の第２床材５２が設けられており、それら第２床材５２には、第１床材５１の短辺の実部４１ｂ側に配置された実側床材５２ａと、第１床材５１の短辺の溝部４２ｂ側に配置された溝側床材５２ｂとが含まれている。実側床材５２ａは、その長辺が第１床材５１の短辺と矧ぎ合わされており、この場合、実側床材５２ａの長辺の溝部４２ａと第１床材５１の短辺の実部４１ｂとが嵌合している。複数の実側床材５２ａは、第１床材５１の並び方向に沿って複数並べられており、隣り合う実側床材５２ａは短辺同士で矧ぎ合わされている。この場合、実側床材５２ａの短辺の実部４１ｂが突出している向きは、第１床材５１の並び方向において第１床材５１の長辺の実部４１ａが突出している向きとは反対向きとされている。
【００５９】
溝側床材５２ｂは、その長辺が第１床材５１の短辺と矧ぎ合わされており、この場合、溝側床材５２ｂの長辺の実部４１ａと第１床材５１の短辺の溝部４２ｂとが嵌合している。複数の溝側床材５２ｂは、実側床材５２ａと同様に、第１床材５１の並び方向に沿って複数並べられており、隣り合う溝側床材５２ｂは短辺同士で矧ぎ合わされている。この場合、溝側床材５２ｂの短辺の実部４１ｂが突出している向きは、実側床材５２ａと同様に、第１床材５１の並び方向において第１床材５１の長辺の実部４１ａが突出している向きとは反対向きとされている。
【００６０】
ここで、洋室１５Ａにおけるフローリング材３３の取り付け順は、図１に図示した番号順のようになる。上述したように、フローリング材３３は取り付け済みのフローリング材３３の実部４１に対して矧ぎ合わせを行うため、洋室１５Ａにおいては、第１床材５１、実側床材５２ａ及び溝側床材５２ｂのうち、最も溝部４２側にある溝側床材５２ｂを最初に取り付け、その後、第１床材５１、実側床材５２ａの順で取り付けていく。
【００６１】
床材５１，５２ａ，５２ｂごとの取り付けについても同様に、最も溝部４２側にある床材を最初とし、その床材に近いものから順に取り付けていく。複数の溝側床材５２ｂについては、間仕切壁１７に沿って建物内側から外壁１９に向かう順で取り付けていく。間仕切壁１７の下部壁面には巾木６２が取り付けられており、その巾木６２により間仕切壁１７と溝側床材５２ｂの仕上面との隙間が覆い隠されている（図５参照）。この場合、溝側床材５２ｂ、巾木６２の順で取り付ける。なお、巾木６２の下方において、第１床材５１や第２床材５２に関する施工誤差や建方誤差が吸収されている。
【００６２】
なお、各溝側床材５２ｂは、短手方向において長辺の溝部４２ａ側が切断されており、それによって、間仕切壁１７と第１床材５１との離間距離に合わせた幅寸法とされている。また、溝側床材５２ｂにおける巾木６２と上下に重なる部分には隠し釘が打ち込まれている。
【００６３】
各第１床材５１については、溝側床材５２ｂとは逆に、外壁１９側から建物内側に向かう順で取り付けていく。掃き出し窓１９ａにはサッシ枠６３が取り付けられており、最も掃き出し窓１９ａに配置された第１床材５１は、サッシ枠６３の下枠部６４の下側に入り込んだ状態となっている（図６参照）。この場合、第１床材５１をサッシ枠６３よりも先に設置するということができず、第１床材５１を下枠部６４の下側に挿し入れるように設置するという作業が必要になるため、複数の第１床材５１のうちサッシ枠６３に隣接する第１床材５１を最初に取り付ける。これは、サッシ枠６３により第１床材５１の取り付け順が制限されていることになる。また、この場合、溝側床材５２ｂの取り付け終わり側が第１床材５１の取り付け始め側となるため、溝側床材５２ｂの取り付け作業と第１床材５１の取り付け作業とを、作業者は移動しなくても連続して行うことができる。
【００６４】
掃き出し窓１９ａから最も遠い部分の第１床材５１は、洋室１５Ａとキッチン１５Ｂとの間の出入口１８ａに対して取り付けられており、床見切り材６５ａを介してキッチン１５Ｂの第１床材５１と隣り合っている（図６参照）。床見切り材６５ａは、洋室１５Ａとキッチン１５Ｂとの境界部において第１床材５１同士の仕上面の隙間を覆い隠すものであり、床見切り材６５ａの下方において、第１床材５１に関する施工誤差や建方誤差が吸収されている。なお、洋室１５Ａ側の第１床材５１の長辺の実部４１ａは切断されており、それによって、第１床材５１同士の隙間幅が、床見切り材６５ａにより覆い隠すことができる程度に小さくなるようにされている。
【００６５】
なお、出入口１８ａに対して取り付けられた第１床材５１は、長手方向において短辺の実部４１ｂ側が切断されており、それによって、出入口１８ａの幅寸法に合わせた長さ寸法とされている。
【００６６】
各実側床材５２ａについては、各第１床材５１と戸境壁１２との離間部分に対して、溝側床材５２ｂと同様に建物内側から外壁１９に向かう順で取り付けていく。この場合、第１床材５１の取り付け終わり側が実側床材５２ａの取り付け始め側となるため、第１床材５１の取り付け作業と実側床材５２ａの取り付け作業とを、作業者は移動しなくても連続して行うことができる。戸境壁１２の下部壁面には、間仕切壁１７と同様に巾木６２が取り付けられており、その巾木６２により戸境壁１２と実側床材５２ａとの境界部が上方から覆い隠されている（図５参照）。この場合、実側床材５２ａ、巾木６２の順で取り付ける。
【００６７】
キッチン１５Ｂ、廊下１５Ｃ、脱衣室１５Ｄ及びトイレ１５Ｅについても、洋室１５Ａと同様に、図１に図示した番号順に床材５１〜５３を取り付けていく。ここでは、キッチン１５Ｂ、廊下１５Ｃ、脱衣室１５Ｄ及びトイレ１５Ｅにおけるフローリング材３３の割り付け及び取り付け順について、洋室１５Ａとの相違点を中心に、図１、図４、図７を参照しつつ説明する。図７は図１のＤ−Ｄ線断面図である。なお、図７においては床大梁２３、床小梁２６及び床断熱材３４の図示を省略している。
【００６８】
キッチン１５Ｂにおいても、第１床材５１、実側床材５２ａ、溝側床材５２ｂが空間形状に合わせて並べられているが、洋室１５Ａとは異なり、第１床材５１を最初に取り付け、その後、実側床材５２ａを取り付け、最後に溝側床材５２ｂを取り付ける。
【００６９】
第１床材５１については、洋室１５Ａとの間の出入口１８ａ側から建物外側に向かう順で取り付けていき、洋室１５Ａとは反対側の外壁１９に隣接する第１床材５１を最後に取り付け、最後に取り付けた第１床材５１に対して巾木６２（図示略）を取り付ける。ここで、キッチン１５Ｂにおいては外壁１９に掃き出し窓１９ａが設けられておらず、第１床材５１をサッシ枠６３の下側に挿し入れるように設置するという必要がない。このため、外壁１９に隣接する第１床材５１を最後に取り付けることが可能となる。
【００７０】
実側床材５２ａについては、各第１床材５１と戸境壁１２との離間部分に対して、第１床材５１とは逆に、外壁１９から建物内側に向かう順で取り付けていく。なお、実側床材５２ａは、互いに直列な向きで２列に複数並べられており、いずれの列についても外壁１９から建物内側に向かう順で取り付ける。
【００７１】
溝側床材５２ｂは、キッチン１５Ｂと廊下１５Ｃとの間の出入口１８ｂに対して取り付けられている。廊下１５Ｃにおいては、複数の第３床材５３が互いに並列に配置されており、それら第３床材５３は、長辺の実部４１ａをキッチン１５Ｂ側に突出させて配置されている。廊下１５Ｃの第３床材５３には、ドッキングラインＤＬを跨ぐ位置に配置された跨ぎ床材５３ａが含まれている。跨ぎ床材５３ａは、床見切り材６５ｂを挟んでキッチン１５Ｂの溝側床材５２ｂと隣り合っており（図４参照）、その溝側床材５２ｂと同様に出入口１８ｂに対して取り付けられている。
【００７２】
廊下１５Ｃにおいては、脱衣室１５Ｄ側（キッチン１５Ｂとは反対側）からキッチン１５Ｂ側に向けて順に第３床材５３を取り付け、跨ぎ床材５３ａを最後に取り付ける。そして、跨ぎ床材５３ａの仕上面と溝側床材５２ｂの仕上面との間の隙間を覆い隠す床見切り材６５ｂを取り付ける。
【００７３】
なお、跨ぎ床材５３ａは、長辺の実部４１ａが切断されている。また、キッチン１５Ｂの溝側床材５２ｂは、短手方向において長辺の溝部４２ａ側が切断されており、それによって、跨ぎ床材５３ａとキッチン１５Ｂの各第１床材５１との離間距離に合わせた幅寸法とされている。
【００７４】
脱衣室１５Ｄにおいては、廊下１５Ｃと同様に複数の第３床材５３が互いに並列に並べられており、それら第３床材５３は、長辺の実部４１ａを廊下１５Ｃの各第３床材５３の長辺の実部４１ａとは反対側に向けて配置されている。脱衣室１５Ｄにおいては、廊下１５Ｃ側から外壁１９（廊下１５Ｃとは反対側）に向けて順に第３床材５３を取り付け、外壁１９に隣接する第３床材５３に巾木６２（図示略）を取り付ける。
【００７５】
脱衣室１５Ｄと廊下１５Ｃとの間の出入口１８ｃには敷居６７ａが設けられており、敷居６７ａの各長辺側端部のそれぞれには見切り縁６８が取り付けられている。脱衣室１５Ｄ及び廊下１５Ｃのそれぞれにおいて敷居６７ａに隣接する第３床材５３は、いずれも見切り縁６８の下側に入り込んだ状態となっている（図７参照）。この場合、脱衣室１５Ｄ及び廊下１５Ｃのいずれにおいても、敷居６７ａに隣接する第３床材５３をそれぞれ設置した後、それら第３床材５３と敷居６７ａとの間に見切り縁６８を取り付ける。見切り縁６８は、敷居６７ａと第３床材５３の仕上面との隙間を覆い隠すものであり、見切り縁６８の下方において、第１床材５１や第３床材５３に関する施工誤差や建方誤差が吸収されている。
【００７６】
脱衣室１５Ｄにおいては、外壁１９側に洗濯機を設置する設置スペースが確保されており、その設置スペースには給排水管（図示略）が敷設されている。この場合、脱衣室１５Ｄの各第３床材５３のうち外壁１９側の第３床材５３が配管用床材５３ｂとされており、配管用床材５３ｂには、給排水管を上下に貫通させるための貫通孔が設けられている。なお、例えば２つの第３床材５３が配管用床材５３ｂとされており、それら配管用床材５３ｂは外壁１９側に配置されている。つまり、配管用床材５３ｂは脱衣室１５Ｄにおいて最後に取り付けられる２つの第３床材５３とされている。
【００７７】
トイレ１５Ｅにおいては、廊下１５Ｃと同様に複数の第３床材５３が互いに並列に並べられており、それら第３床材５３は、長辺の実部４１ａを廊下１５Ｃの各第３床材５３の長辺の実部４１ａと同じ側を向けて配置されている。それら第３床材５３には、廊下１５Ｃと同様に跨ぎ床材５３ａが含まれている。キッチン１５Ｂとトイレ１５Ｅとの間の出入口１８ｄには敷居６７ｂが設けられており、トイレ１５Ｅの跨ぎ床材５３ａは、敷居６７ｂを挟んでキッチン１５Ｂの各第１床材５１と隣り合っている。なお、敷居６７ａと同様に、敷居６７ｂにも見切り縁６８が取り付けられている。
【００７８】
次に、第２住戸１１ｂにおけるフローリング空間１５の床構成について説明する。第２住戸１１ｂの床構成は第１住戸１１ａの床構成とほぼ同じにされているため、ここでは、第１住戸１１ａとの相違点を中心に説明する。
【００７９】
第２住戸１１ｂにおけるフローリング材３３の配置は、間取りと同様に、第１住戸１１ａとほぼ線対称にされている。ただし、キッチン１５Ｂについては、第１床材５１の長辺の実部４１ａ、及び実側床材５２ａの短辺の実部４１ｂの向きが、第１住戸１１ａのキッチン１５Ｂとはそれぞれ逆になっている。この場合、第１床材５１及び実側床材５２ａごとの取り付け順が逆になるが、キッチン１５Ｂには、サッシ枠６３のようにフローリング材３３の取り付け順を制限するものがないため、第１床材５１及び実側床材５２ａを取り付ける作業を行う上で支障はない。
【００８０】
第２住戸１１ｂにおいては、フローリング材３３同士の境界部が十字状になっている部分（図１のＺ部分）がキッチン１５Ｂにある。これに対して、十字状の境界部は、その境界部の上に設置された流し台（図示略）により覆い隠されているため、その境界部に埃やゴミが溜まるということが生じにくくなっている。
【００８１】
建物１０は、建物ユニット製造工場において製造された複数の建物ユニット２０が、建築現場において設置及び連結されることで構築されている。ここで、フローリング材３３の大部分は建物ユニット製造工場においてあらかじめ建物ユニット２０に取り付けておくことができるが、廊下１５Ｃ及びトイレ１５Ｅの各跨ぎ床材５３ａは、ドッキングラインＤＬを跨ぐ位置に配置されるため、建築現場にて取り付けざるを得ない。また、現場後付けとするフローリング材３３としては、跨ぎ床材５３ａの他にも、脱衣室１５Ｄの配管用床材５３ｂ、キッチン１５Ｂの溝側床材５２ｂが挙げられ、それらフローリング材３３は図１においてドットハッチングにて図示している。
【００８２】
ここでは、廊下１５Ｃの跨ぎ床材５３ａ、及びそれに隣接するキッチン１５Ｂの溝側床材５２ｂの取り付け手順について、図８を参照しつつ説明する。図８はキッチン１５Ｂと廊下１５Ｃとの境界部付近の床構造を示す図である。なお、廊下１５Ｃ及びトイレ１５Ｅのいずれでも跨ぎ床材５３ａの取り付け手順は同じであるため、トイレ１５Ｅにおける跨ぎ床材５３ａの取り付け手順についての説明は省略する。
【００８３】
ちなみに、工場において建物ユニット２０にフローリング材３３をあらかじめ取り付けておく作業には、第１工程と第２工程とが含まれており、第１工程では、第１床材５１を、長辺同士で矧ぎ合わせ且つ短辺の実部４１ｂが一列に並ぶように向きを揃えて床下地材３２の上に設置する。その後、第２工程では、第２床材５２のうち実側床材５２ａを、その長辺の溝部４２ａと各第１床材５１の短辺の実部４１ｂとが嵌合するように、それら第１床材５１と矧ぎ合わせながら床下地材３２の上に設置する。
【００８４】
まず、図８（ａ）に示すように、ドッキングラインＤＬ周辺におけるフローリング材３３、床下地材３２及び床断熱材３４が取り付けられていない建物ユニット２０を、互いに隣接させて設置する。そして、図８（ｂ）に示すように、ドッキングラインＤＬを跨ぐ位置に、繋ぎ下地材３２ｂ及び繋ぎ断熱材３４ｂを設置し、床下地材３２及び床断熱材３４を構築する。
【００８５】
その後、図８（ｃ）に示すように、床下地材３２の上において、廊下１５Ｃにおいて取り付け済みの第３床材５３に跨ぎ床材５３ａを矧ぎ合わせるとともに、キッチン１５Ｂにおいて取り付け済みの第１床材５１に溝側床材５２ｂを矧ぎ合わせる。さらに、それら跨ぎ床材５３ａと溝側床材５２ｂとの間に床見切り材６５ｂを取り付ける。
【００８６】
同様に、トイレ１５Ｅにおける跨ぎ床材５３ａを設置する部分についても、先に床下地材３２及び床断熱材３４を構築し、その後、床下地材３２の上において、トイレ１５Ｅにおける取り付け済みの第３床材５３に跨ぎ床材５３ａを矧ぎ合わせる。そして、その跨ぎ床材５３ａと敷居６７ｂとの間に見切り縁６８を取り付ける。
【００８７】
また、脱衣室１５Ｄにおける配管用床材５３ｂを設置する部分については、給排水管の工事に合わせて配管用床材５３ｂを、脱衣室１５Ｄにおける取り付け済みの第３床材５３に矧ぎ合わせる。そして、外壁１９に隣接する配管用床材５３ｂに対して巾木６２を取り付ける。
【００８８】
以上詳述した本実施形態によれば、以下の優れた効果が得られる。
【００８９】
第１住戸１１ａの洋室１５Ａにおいて、各第１床材５１の短辺と戸境壁１２及び間仕切壁１７との間に実側床材５２ａ及び溝側床材５２ｂが設けられているため、各第１床材５１を切断して長辺の長さ寸法を調整する必要がない。この場合、仮に実側床材５２ａや溝側床材５２ｂを切断して短辺の幅寸法を調整するとしても、切断作業を要する実側床材５２ａや溝側床材５２ｂの数は、第１床材５１の長さ調整のために切断作業を要する第１床材５１の数に比べて少ないため、床材切断の作業負担を低減できる。したがって、床下地材に対して複数のフローリング材３３を取り付ける作業を容易化することができる。
【００９０】
第１床材５１及び実側床材５２ａについては、複数の第１床材５１の短辺の各実部４１ｂが、実側床材５２ａの長辺の溝部４２ａに対してまとめて嵌合しているため、各第１床材５１の短辺の実部４１ｂを切断する必要がない。この場合、実側床材５２ａの長辺の実部４１ａを切断しても、切断作業を要する実側床材５２ａの数は、第１床材５１の短辺の実部４１ｂを切断する場合に切断作業を要する第１床材５１の数に比べて少ないため、実部切断の作業負担を低減できる。
【００９１】
第１床材５１を挟んで実側床材５２ａとは反対側に溝側床材５２ｂが配置されているとともに、実側床材５２ａ及び溝側床材５２ｂはいずれも第２床材５２であるため、第１床材５１の取り付け方を、第１床材５１の短辺の実部４１ｂが溝側床材５２ｂ側に配置されるように変更しても、それに合わせて実側床材５２ａと溝側床材５２ｂとの位置を入れ替えることができる。このため、各第１床材５１の取り付け順に制約があっても、第１床材５１の取り付け順に合わせて実側床材５２ａと溝側床材５２ｂとの位置を入れ替えれば、それら実側床材５２ａ及び溝側床材５２ｂによる第２床材５２のレイアウトを変更せずに保持できる。したがって、第１床材５１の取り付け順に関係なく、第１床材５１及び第２床材５２のレイアウトを設定できる。
【００９２】
実側床材５２ａ及び溝側床材５２ｂのそれぞれが、複数の第１床材５１の並び方向に沿って並べられている構成において、第１床材５１の並び方向において実側床材５２ａ及び溝側床材５２ｂの短辺の実部４１ｂが突出している向きが、第１床材５１の長辺の実部４１ａが突出している向きと反対向きとされているため、複数の溝側床材５２ｂを順に取り付けた場合に、その取り付け終わり側が複数の第１床材５１の取り付け始め側となり、それら第１床材５１の取り付け終わり側が複数の実側床材５２ａの取り付け始め側となる。このため、溝側床材５２ｂ、第１床材５１、実側床材５２ａの順で取り付ける場合に、それら床材５２ｂ，５１，５２ａを連続して取り付けることが容易となり、床材５２ｂ，５１，５２ａの取り付け作業の効率を高めることができる。
【００９３】
複数の第１床材５１のうち掃き出し窓１９ａに隣接する第１床材５１は、長辺の溝部４２ａ側がサッシ枠６３の下側に入り込んだ状態で設けられている。この場合、長辺の実部４１ａを切断する必要がないため、第１床材５１を取り付ける際の作業負担を低減できる。しかも、第１床材５１の長辺はサッシ枠６３と平行に延びているため、第１床材５１の短辺がサッシ枠６３と平行に延びている場合に比べて、掃き出し窓１９ａに隣接する第１床材５１の数を少なくできる。これにより、サッシ枠６３の下側に第１床材５１を挿し入れる際の作業負担を低減できる。
【００９４】
廊下１５Ｃ及びトイレ１５Ｅの跨ぎ床材５３ａがドッキングラインＤＬと平行に延びているため、例えば第１床材５１が跨ぎ位置に配置された場合に比べて、跨ぎ位置に配置されるフローリング材３３の数を少なくできる。しかも、第１床材５１の短辺が実側床材５２ａ及び溝側床材５２ｂの各長辺に合わせて並べられているため、一部の第１床材５１が跨ぎ位置に存在するということがない。したがって、各第１床材５１を建物ユニット製造工場において建物ユニット２０にあらかじめ取り付けておくことが可能となり、建築現場にてフローリング材３３を取り付ける作業工数を低減できる。
【００９５】
跨ぎ床材５３ａは、溝側床材５２ｂを挟んで第１床材５１の反対側に配置されているため、第１床材５１に加えて溝側床材５２ｂも、工場において建物ユニット２０にあらかじめ取り付けておくことが可能となる。この場合、溝側床材５２ｂが第１床材５１よりも建物ユニット２０の外周側に存在するため、建物ユニット２０を工場から施工現場に運搬する際などに、溝側床材５２ｂにより第１床材５１を保護することができる。しかも、溝側床材５２ｂが破損した場合には、その溝側床材５２ｂだけを取り替えれば済むため、取り換え作業の負担を小さくできる。なお、第１床材５１が破損した場合には、第１床材５１を取り替えるために、その第１床材５１の実側に配置されている他の第１床材５１も取り外す必要があり、取り換え作業の負担が大きくなってしまう。
【００９６】
廊下１５Ｃの跨ぎ床材５３ａと、その跨ぎ床材５３ａの長辺の実部４１ａ側に配置されたキッチン１５Ｂの溝側床材５２ｂとの間には、床見切り材６５ｂが設けられているため、跨ぎ床材５３ａと溝側床材５２ｂとの間の隙間を床見切り材６５ｂにより覆い隠すことができる。つまり、工場先付けしておいたフローリング材３３と、現場後付けした跨ぎ床材５３ａとの間に隙間が生じても、その隙間を覆い隠すことができる。
【００９７】
また、床見切り材６５ｂを挟んで跨ぎ床材５３ａに隣り合う溝側床材５２ｂにおいては、長辺の実部４１ａが床見切り材６５ｂとは反対側に配置されているため、その実部４１ａを切断しなくても床見切り材６５ｂを取り付けることができる。これにより、跨ぎ床材５３ａ及び床見切り材６５ｂの取り付け作業を容易化できる。
【００９８】
廊下１５Ｃの跨ぎ床材５３ａに隣り合うキッチン１５Ｂの溝側床材５２ｂは、跨ぎ床材５３ａの幅寸法に合わせて大きさ及び形状が定められているため、建築現場において跨ぎ床材５３ａを加工する作業を行う必要がない。したがって、跨ぎ床材５３ａの取り付けに際して、作業工数をより一層低減できる。
【００９９】
フローリング材３３の割り付けが、第１住戸１１ａと第２住戸１１ｂとで線対称とされているため、住戸１１ａ，１１ｂごとにフローリング材３３の割り付けが異なる場合に比べて、フローリング材３３の取り付け作業を容易化できる。
【０１００】
［他の実施形態］
本発明は上記実施形態の記載内容に限定されず、例えば次のように実施されてもよい。
【０１０１】
（１）上記実施形態では、キッチン１５Ｂにおいて第１床材５１の両側に第２床材５２が設けられていたが、第１床材５１の両側のうち一方にだけ第２床材５２が設けられていてもよい。例えば、図９に示すように、第１住戸１１ａ及び第２住戸１１ｂの各キッチン１５Ｂにおいて、第１床材５１の戸境壁１２側にだけ第２床材５２が設けられている構成とする。
【０１０２】
この構成でも、フローリング材３３の配置は、第１住戸１１ａと第２住戸１１ｂとで線対称となっており、第１床材５１と戸境壁１２との間に配置された第２床材５２が、第１住戸１１ａにおいては実側床材５２ａとされており、第２住戸１１ｂにおいては溝側床材５２ｂとされている。この構成によれば、第１住戸１１ａのキッチン１５Ｂにおいては、各第１床材５１の短辺の実部４１ｂを切断する必要がなく、第１床材５１の取り付けに際して作業負担を低減できる。
【０１０３】
一方、第２住戸１１ｂのキッチン１５Ｂにおいては、実側床材５２ａが設けられていないため、第１床材５１が間仕切壁１７と隣接する部分について、各第１床材５１の短辺の実部４１ｂを切断する必要が生じてしまう。この場合、第１床材５１と掃き出し窓１９ａのサッシ枠６３との間に床見切り材を取り付けることなどによりサッシ枠６３による第１床材５１の取り付け順の制約を解消し、第１床材５１の列方向において長辺の実部４１ａを逆向きにして、第１床材５１の短辺の実部４１ｂを戸境壁１２側に配置することが好ましい。
【０１０４】
（２）上記実施形態では、床見切り材６５ｂを挟んで隣接する跨ぎ床材５３ａ及び溝側床材５２ｂの両方が建築現場にて取り付けられていたが、溝側床材５２ｂは建物ユニット製造工場においてあらかじめ取り付けられていてもよい。この場合でも、溝側床材５２ｂと跨ぎ床材５３ａとの間に床見切り材６５ｂが取り付けられる構成であれば、跨ぎ床材５３ａを建築現場にて後付けすることが可能となる。
【０１０５】
（３）上記実施形態では、跨ぎ床材５３ａが床見切り材６５ｂを挟んで隣接するフローリング材３３が溝側床材５２ｂとされていたが、実側床材５２ａや第１床材５１でもよい。例えば、図１０に示すように、第１住戸１１ａのキッチン１５Ｂにおいて、第１床材５１が複数の列においてそれぞれ並列に並べられている構成とする。この構成では、上記実施形態では溝側床材５２ｂが配置されていた部分に設けられた複数の第１床材５１が、床見切り材６５ｂを挟んで跨ぎ床材５３ａと隣り合っている。この場合でも、跨ぎ床材５３ａの長辺の実部４１ａ側に配置された第１床材５１又は第２床材５２との間に床見切り材６５ｂが設けられている構成を実現できる。ちなみに、この場合でも跨ぎ床材５３ａ（第３床材５３）は第１床材５１と矧ぎ合わされていない。
【０１０６】
なお、図１０においては、キッチン１５Ｂに加えて洋室１５Ａでも、第１床材５１が複数の列においてそれぞれ並列に並べられている。また、第１住戸１１ａに加えて第２住戸１１ｂにおいても、第１床材５１が複数の列においてそれぞれ並列に並べられている。
【０１０７】
（４）上記実施形態では、第３床材５３のいずれかが跨ぎ床材５３ａとしてドッキングラインＤＬの跨ぎ位置に配置されていたが、第２床材５２（実側床材５２ａ及び溝側床材５２ｂ）のいずれかが跨ぎ位置に配置されていてもよい。この場合でも、第２床材５２はその長辺がドッキングラインＤＬと平行に延びる状態で配置されているため、跨ぎ位置に存在するフローリング材３３の数を、第１床材５１が跨ぎ位置に配置された場合に比べて少なくできる。
【０１０８】
（５）上記実施形態では、跨ぎ床材５３ａが溝側床材５２ｂを挟んで第１床材５１とは反対側に配置されていたが、跨ぎ床材５３ａは、実側床材５２ａを挟んで第１床材５１とは反対側に配置されていてもよい。要は、跨ぎ床材５３ａは、第２床材５２を挟んで第１床材５１とは反対側に配置されていればよい。
【０１０９】
（６）複数の第１床材５１は、互いに並列に並べられていれば、その列がドッキングラインＤＬと直交する方向に延びるように配置されていてもよい。この場合、各第１床材５１はドッキングラインＤＬと平行に延び、各第２床材５２はドッキングラインＤＬと交差する方向に延びている。
【０１１０】
（７）上記実施形態では、実側床材５２ａは、第１床材５１と戸境壁１２との間に設けられていたが、第１床材５１と床見切り材との間に設けられていてもよく、第１床材５１と敷居との間に設けられていてもよい。いずれの場合でも、実側床材５２ａは床部３１の周縁部に沿って延びるように配置されていることになり、各第１床材５１の短辺の実部４１ｂを切断するという手間を省くことができる。
【０１１１】
（８）上記実施形態では、第２床材５２の短辺の実部４１ｂが、第１床材５１の並び方向において第１床材５１の長辺の実部４１ａとは反対側に向けて突出している構成としたが、同じ側に向けて突出している構成としてもよい。
【０１１２】
（９）フローリング材３３により床面が形成されている建物１０は、木造軸組構法や枠組構法により構築されていてもよい。
【符号の説明】
【０１１３】
１０…建物、１２…壁体としての界壁、１９…外壁、１９ａ…開口部としての掃き出し窓、２０…建物ユニット、３２…床下地材、３３…床材としてのフローリング材、４１，４１ａ，４１ｂ…実部、４２，４２ａ，４２ｂ…溝部、５１…第１床材、５２…第２床材、５２ａ…実側床材、５２ｂ…溝側床材、５３ａ…跨ぎ床材、６５ａ，６５ｂ…床見切り材。
【図１】
0005947531.tif 000002
【図２】
0005947531.tif 000003
【図３】
0005947531.tif 000004
【図４】
0005947531.tif 000005
【図５】
0005947531.tif 000006
【図６】
0005947531.tif 000007
【図７】
0005947531.tif 000008
【図８】
0005947531.tif 000009
【図９】
0005947531.tif 000010
【図１０】
0005947531.tif 000011